(57)【特許請求の範囲】
【請求項１】
天面から突出する吐出筒の先端に吐出口が形成された吐出キャップであって、
吐出筒を重力方向に対して傾斜した状態で吐出した際に、内容物が重力によって下方に誘導される側と反対側の吐出筒の内壁における吐出口の近傍に流路誘導突起部が設けられており、
該流路誘導突起部は、前記吐出筒における前記吐出口の開口周縁部に臨むように設けられている吐出キャップ。
【請求項２】
前記吐出筒が設けられたキャップ本体にヒンジ結合された上蓋を備え、前記流路誘導突起部を前記吐出筒の内壁のヒンジ側に設けてなる請求項１記載の吐出キャップ。
【請求項３】
前記流路誘導突起部は、前記吐出筒の流路に沿う方向に延びている請求項１又は２に記載の吐出キャップ。
【請求項４】
請求項１〜３のいずれか１項に記載の吐出キャップが取着され、容器本体から前記吐出口を経て吐出される内容物の粘度が2000〜420000 mPa・sである吐出容器。
【請求項５】
前記容器本体が可撓性容器であって、該可撓性容器を変形させて内容物を吐出させる請求項４記載の吐出容器。
【発明の詳細な説明】
【技術分野】
【０００１】
本発明は、容器本体に収容された内容物を吐出させる吐出口を設けた吐出キャップ、及び吐出キャップを取着した吐出容器に関する。
【背景技術】
【０００２】
従来から、容器本体に収容された内容物を吐出させる容器として、例えば、絞り出し口に等間隔でスリットを設けてあり、内容物を吐出する際、それらによって流動抵抗が変わり星形状の断面形状で連続的に内容物を絞り出すことができる容器用キャップがある（例えば、特許文献１参照）。
【０００３】
また、チューブ本体を押圧することにより、内孔から押し出される内容物が外孔に触れることなく排出され、さらに、内孔からはみ出した内容物も外孔の壁部によって遮られることにより、外部にはみ出して口部周辺を汚すことを防止した押出チューブがある（例えば、特許文献２参照）。
【特許文献１】特開２００５−９６７７６号公報
【特許文献２】登録実用新案第３０３３１４１号公報
【発明の開示】
【発明が解決しようとする課題】
【０００４】
特許文献１の容器用キャップでは、例えば、ある程度粘性のある内容物を注出すると、内容液が注出筒の外周端縁に付着する問題があった。また、特許文献２の押出チューブでは、押出チューブを斜めに傾斜させて内容物を吐出する場合には、内孔から吐出した内容物が重力方向に落下しようとするために、外孔の重力方向側の部分に接触して、外孔の周囲に内容物が付着する虞がある。
【０００５】
そこで、本発明は、吐出筒の軸方向が重力方向と異なる方向に傾いた状態で吐出する場合にも、内容物が吐出口の周囲、特に重力方向側に付着して汚れることを防止できる吐出キャップ、及び吐出キャップを取着した吐出容器を提供することを目的とする。
【課題を解決するための手段】
【０００６】
本発明は、天面から突出する吐出筒の先端に吐出口が形成された吐出キャップであって、  吐出筒を重力方向に対して傾斜した状態で吐出した際に、内容物が重力によって下方に誘導される側と反対側の吐出筒の内壁における吐出口の近傍に流路誘導突起部を設けてなる吐出キャップを提供することにより、上記目的を達成したものである。
【０００７】
また、本発明は、上記吐出キャップが取着され、容器本体から前記吐出口を経て吐出される内容物の粘度が2000〜420000 mPa・s である吐出容器を提供することにより、上記目的を達成したものである。
【発明の効果】
【０００８】
本発明は、天面から突出する吐出筒の先端に吐出口が形成された吐出キャップ又は該吐出キャップが取着された吐出キャップであって、吐出筒を重力方向に対して傾けた状態で吐出した際に、内容物が下方に誘導される側と反対側の吐出筒の内壁における吐出口の近傍に流路誘導突起部を設けているから、吐出筒を経由して吐出される内容物が吐出筒の内壁の流路誘導突起部によって流路を上方に変えて、吐出口の周囲に内容物が付着することによる汚れを防止し、吐出口を覆う上蓋等の取着性を良好なものにする。
【発明を実施するための最良の形態】
【０００９】
以下に、図面を用いて本発明の好ましい実施形態について説明をする。図１〜図３に示す本実施形態の吐出キャップ１０は、内容物として、例えば見かけの粘度が2000mP・s〜420000 mP・sの比較的高粘度の液体であるマヨネーズ、ケチャップ、ピザソース、ソフトバター、クリーム、ソフトチョコレート等を収容した、軟質合成樹脂製の容器本体１１の口首部に螺合装着され、容器本体１１と共に吐出容器１２を構成するものである。また、本実施形態の吐出キャップ１０は、吐出容器１２の容器本体１１を把持して、先端に吐出口１３が開口形成された吐出筒１４を重力方向に対して傾けた状態で内容物を吐出した際に、図６（ｂ）に示すように、吐出口１３から吐出された内容物が下側にカールして、吐出口１３の下方の部分に接触すると共に付着するのを効果的に防止できるようにするために用いられるものである。
【００１０】
そして、本実施形態の吐出キャップ１０は、天面１５から突出する吐出筒１４の先端に吐出口１３が形成されたキャップであって、図４（ａ）〜（ｃ）にも示すように、吐出筒１４を重力方向に対して傾斜させて略水平に傾けた状態で内容物を吐出した際に、内容物が重力によって下方に誘導される側と反対側の吐出筒１４の内壁における吐出口１３の近傍に、流路誘導突起部１６が設けられている。
【００１１】
また、本実施形態では、吐出キャップ１０は、図１〜図３に示すように、吐出筒１４が設けられたキャップ本体１７にヒンジ結合された上蓋１８を備えており、吐出容器１２は一般にヒンジ１９側を上にした状態で傾けて使用されることから、流路誘導突起部１６は、吐出筒１４の内壁の、内容物が重力によって下方に誘導される側と反対側であるヒンジ１９側に設けられることになる。
【００１２】
容器本体１１は、軟質合成樹脂として例えばＬＤＰＥ（低密度ポリエチレン）をブロー成形してなるものであり、可撓変形可能な可撓性容器となっている。内部に内容物が充填収容された容器本体１１を把持して押圧することにより、可撓性容器としての容器本体１１を変形させて、吐出筒１４の吐出口１３から内容物を容易に吐出させることができるようになっている。
【００１３】
容器本体１１に収容される内容物は、本実施形態の吐出キャップ１０により図６（ｂ）に示すような吐出時の下側へのカールが効果的に解消されて、図６（ａ）に示すような状態で吐出される。このように吐出される内容物としては、20℃で2000〜420000 mPa・sの粘度のものを用いることが好ましく、20℃で2000〜250000 mPa・sの粘度のものを用いることがさらに好ましい。また、実際の使用状態では、容器本体１１に収容された内容物の粘度は、10℃で4000〜320000 mPa・sであることが好ましい。即ち、容器本体１１に収容された内容物の粘度は温度によって変化するが、本発明の吐出キャップ１０は、内容物の粘度が4000〜320000 mPa・sの状態で吐出されるときに、下側へのカールの解消という機能をより効果的に発揮することになる。
【００１４】
容器本体１１の口首部に装着される吐出キャップ１０は、キャップ本体１７と上蓋１８とがヒンジ１９を介して連結された状態で一体成形された合成樹脂成形品である。上蓋１８は、ヒンジ１９を介してキャップ本体１７の周縁部に回動可能に連結されると共に、例えば上蓋１８の下端内側周縁部に設けた係止部を、ヒンジ１９の上端外側周縁部に設けた被係止部に着脱可能に係止させて、吐出筒１４が突出するキャップ本体１７の天面１５を開閉するようになっている。
【００１５】
キャップ本体１７の天面１５から上方に突出する吐出筒１４は、図２〜図４に示すように、容器本体１１の内部と連通する中空の筒状部であって、略切頭円錐形状の基部１４ａと、円筒形状の吐出口部１４ｂとからなり、吐出口部１４ｂの先端が、例えば内径が    〜    ｍｍ程度の大きさの吐出口１３となっており、容器本体１１に収容された内容物が、押出され又は吐出圧（重力を含む）により吐出する際に、吐出口部の内周のほぼ全周に接触するようにして吐出される。また吐出口１３の近傍に位置する吐出口部１４ｂの内壁には、ヒンジ１９側の部分から吐出口部１４ｂの径方向内方に突出して、例えば断面略扇形状の流路誘導突起部１６が設けられている。
【００１６】
ここで、本発明では、流路誘導突起部１６は、吐出口部１４ｂの内壁から突出する高さをＨとし、吐出口部１４ｂの内側直径をＤとした場合に、後述するように吐出筒１４を通過する内容物が流路誘導突起部１６によって流路を遮られて内容物の粘性によって流路誘導突起部１６の下側を回りこむように引き寄せるためには０．１５Ｄ＜Ｈ＜０．８０Ｄであることが好ましく、さらに好ましくは０．１５Ｄ＜Ｈ＜０．５０Ｄであって、流路誘導突起部１６は、吐出口部１４ｂのヒンジ１９側である図４（ａ）〜（ｃ）における吐出口部１４ｂの上側の半分を超えない領域に設けることが好ましい。尚、流路誘導突起部１６は突起部であって、吐出口部１４ｂの断面に占める形状が、吐出口部１４ｂを構成する内周の孤とその円孤の両端を結ぶ弦とから構成されるものでないことが必要とされる。
【００１７】
また、流路誘導突起部１６は、吐出口１３の近傍に単なるリブ状の突起として設けることもできるが（図５（ａ），（ｂ）参照）、吐出筒１４の流路に沿う方向に相当の長さで延びるように設けておくことにより（図４（ａ），（ｃ）参照）、後述する吐出口１３から吐出される内容物の流路を上方に引き寄せて誘導する機能（図４（ｃ），図５（ｂ）参照）をさらに効果的に発揮させることが可能になる。なお、流路誘導突起部は、例えば円錐形状や、角錐形状であっても良く、吐出筒１４内に複数設けることもできる。例えば、図８（ａ）〜（ｄ）に示す形状のものを採用することもできる。
【００１８】
そして、本実施形態の吐出キャップ１０及び吐出容器１２によれば、吐出容器１２を把持して、吐出筒１４の軸方向が重力方向と異なる方向に傾いた状態で内容物を吐出する場合でも、内容物が吐出口１３の周囲の特に重力方向側に付着して汚れることを効果的に回避することができる。すなわち、本実施形態によれば、重力によって内容物が下方に誘導される側と反対側の吐出筒１４の内壁における吐出口１３の近傍に流路誘導突起部１６が設けられており、内容物は、吐出筒１４を通過する際に、上方部分で流路誘導突起部１６によって流路が遮られるため、流路誘導突起部１６の下方を通過する内容物は、図４（ｃ）及び図５（ｂ）の矢印で示すように、その粘性によって流路誘導突起部１６の下側を回り込むようにしつつ上方に引き寄せられた後に、吐出口１３から吐出されるので、吐出された内容物は、図６（ａ）に示すように、吐出筒１４が設けられたキャップ本体１７の天面１５から離れた位置を経て重力によって下方に誘導されることになる。これによって、吐出口１３の周囲の天面１５に内容物が付着することによる汚れを防止し、また吐出口１３を覆う上蓋１８の取着性を良好なものとすることが可能になる。
【００１９】
なお、本発明は上記実施形態に限定されることなく種々の変更が可能である。例えば、本発明の吐出キャップは、可撓変形可能な容器の他、ポンプ装置によって内容物を吐出することが可能なポンプ容器やチューブ容器等、その他の種々の容器の口首部に取り付けて用いることもできる。また、吐出キャップは、ヒンジを介して上蓋が連結されたものである必要は必ずしもないし、上蓋とキャップ本体を一体成形したものでなくても良い。吐出時に上方に位置させるべき流路誘導突起部が設けられた周方向の位置を吐出キャップの外周面に明示して用いることもできる。キャップ天面に吐出筒が垂直方向からずれた方向に突出して設けられていても良い。さらに、流路誘導突起部は、吐出筒における吐出口の開口周縁部に臨むように配設ける必要は必ずしもなく、吐出口の近傍であれば、例えば図７に示すように、流路誘導突起部１６’を吐出口１３から離れた部分に設けることもでき、このような位置に設けた場合でも、内容物を上方に引き寄せる機能を効果的に発揮することができる。さらにまた、容器本体に収容され、吐出キャップの吐出筒を介して吐出される内容物は、歯磨き粉等の高粘度のものであっても良い。
【図面の簡単な説明】
【００２０】
【図１】本発明の好ましい一実施形態に係る吐出キャップが取着された吐出容器の正面図である。
【図２】本発明の好ましい一実施形態に係る吐出キャップの斜視図である。
【図３】本発明の好ましい一実施形態に係る吐出キャップの断面図である。
【図４】（ａ）は吐出キャップに設けられた吐出筒の断面図、（ｂ）は同吐出筒の正面図、（ｃ）は同吐出筒の機能を説明する模式図である。
【図５】（ａ）は吐出キャップに設けられた他の形態の吐出筒の断面図、（ｂ）は同吐出筒の機能を説明する模式図である。
【図６】（ａ）は本発明の好ましい一実施形態に係る吐出キャップによる効果を説明する側面図、（ｂ）は従来の吐出キャップによる課題を説明する側面図である。
【図７】吐出キャップに設けられたさらに他の形態の吐出筒の機能を説明する模式図である。
【図８】（ａ）〜（ｄ）は、流路誘導突起部の他の形状を例示する略示正面図である。
【符号の説明】
【００２１】
１０  吐出キャップ
１１  容器本体
１２  吐出容器
１３  吐出口
１４  吐出筒
１４ａ  吐出筒の基部
１４ｂ  吐出筒の吐出口部
１５  吐出キャップの天面
１６，１６’  流路誘導突起部
１７  キャップ本体
１８  上蓋
１９  ヒンジ
【図１】
0004756955.tif 000002
【図２】
0004756955.tif 000003
【図３】
0004756955.tif 000004
【図４】
0004756955.tif 000005
【図５】
0004756955.tif 000006
【図６】
0004756955.tif 000007
【図７】
0004756955.tif 000008
【図８】
0004756955.tif 000009